(57)【要約】      （修正有）【課題】マグネットの磁着可能な化粧版を表面に取り付けることによって用具、写真、計画表、投薬表等の紙片を容易に貼り付けることができる木製マルチシェルフ家具を提供する。【解決手段】木製板材で構成された引き出、或は開き戸付き棚、或は空間棚、引き戸付き収納部、及びオープンテーブルを持つ木製マルチシェルフ家具において、シェルフ家具の前板、側板、裏板、天板及びオープン箇所の内面板、及び引き出、開き戸の前板の全部、又は部分的に、表装材とスチール箔を含む化粧薄板を使用し、マグネットが吸着可能とする。【選択図】図１
0003212336.tif 000002
【実用新案登録請求の範囲】
【請求項１】
木製板材で構成された引き出、或は開き戸付き棚、或は空間棚、引き戸付き収納部、及びオープンテーブルを持つ木製マルチシェルフ家具において、前記シェルフ家具の前板、側板、裏板、天板及びオープン箇所の内面板、及び引き出、開き戸の前板の全部、又は部分的に、表装材とスチール箔を含む化粧薄板を使用していることを特徴とするマグネット吸着可能な木製マルチシェルフ家具。
【請求項２】
前記表装材とスチール箔を含む化粧板を使用するマグネット吸着箇所としては、常時に使用する内面の隠れた場所ではなく、側面を含む全側面板、裏面板、オープン状態の内面板、天板及び引き出、開き戸の前板の全部、又は５０％以上の面積部分の木製板材に、該マグネット吸着可能な化粧板材を張っていることを特徴とする請求項１記載のマグネット吸着可能な木製マルチシェルフ家具。
【請求項３】
表装材とスチール箔を含む化粧板は、マグネットを付着できる装飾性表装材であって、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板になっていることを特徴とする請求項１、又は請求項２に記載のマグネット吸着可能な木製マルチシェルフ家具。
【考案の詳細な説明】
【技術分野】
【０００１】  本考案はマグネットを吸着可能木製用マルチシェルフ家具に関する。詳しくはマルチチェルフ家具に目に届く箇所に計画書、メモ、写真などを掲載できるマグネット磁着機能を持たせた木製用薄板を張ったマルチチェルフ家具に係るものである。
【背景技術】
【０００２】  従来、病院における入院患者のベット横には床頭台である収納用家具が配置される。このマルチチェルフ家具は、患者の持ち物を入れる収納部とテレビなどを載置する載置台、開き戸付き棚により構成される。この床頭台での載置台付近にはボードが立設され、病院内での一週間の予定表や投薬表など紙片が貼り付けられることもある。【０００３】  これらの床頭台がスチール製である場合には、病院内での一週間の予定表や投薬表などの計画表などの紙片はマグネットによって磁着することができるが、スチール製では部屋の雰囲気において劣るものがある。病院内での自然感を満喫できる木製床頭台の場合にはテープや押しピンなどによって貼り付けなければならない。【０００４】  そこで木質系の板面などマグネットを吸着できない板面に対して、マグネットを吸着できるようにした考案もあるが、この考案はマグネットを吸着可能な板体と、その片面に貼着された離型紙付きの両面接着テープとでマグネット用取付け座を構成し、離型紙を剥がして両面接着テープによって木質系板面に接着して、マグネットを吸着可能な板体にマグネットを磁着させることで紙片を固定させることができることが提案されている（特許文献１参照）。【０００６】一方家具において、木製の板材を組み立てて引き出し、あるいは開き戸からなる収納部と載置台が形成される家具において、前記家具の外壁面の一部に、マグネットを吸着可能なマグネット吸着板を埋め込み、化粧紙によって覆着することによって紙片をマグネットによって容易に貼り付けることが可能となったものが提案されている（特許文献２参照）。【０００７】活性炭や白金触媒など吸着剤、殺菌剤を用いることなく、スライドボード或いはカウンターを、殺菌・脱臭状態に常温で維持でき、病院においても使用可能な木製床頭台を提供することを目的として、家具のスライドボード部全面と、引出部の前板と内表面と、カウンター部表面との５０〜１００％の面積部に酸化チタン系光触媒をコートした脱臭機能及び殺菌機能を有する光触媒機能性木質部材を貼り付けて組み込むことが提案されている（特許文献３参照）。【０００８】病院内の部屋の自然環境をもたらされるマグネット全面吸着可能な木製マルチシェルフ家具において、部屋内での一週間の予定表や投薬表などの計画表などの紙片を常時安定的に貼っていることのできるマグネット全面吸着可能な木製マルチシェルフ家具については存在していない。
【先行技術文献】
【特許文献】
【０００９】
【特許文献１】特開２００２−２７４０８９号公報
【特許文献２】特開２００７−１５９６１１号公報
【特許文献３】実用新案登録第３１９１３４７号公報
【考案の概要】
【概要が解決しようとする課題】
【００１０】  近年、室内に置く家具において、高級感やあたたかいイメージ、自然的雰囲気を演出するためにマグネット全面吸着可能な木製マルチシェルフ家具を使用するところが多くなってきており、マグネット用具、写真、予定表や投薬表などの計画表などの紙片を押しピンやテープによって貼っているのが現状であるが、押しピンではボードが穴だらけとなり、交換、書き込みなどが困難であった。またテープでは木製マルチシェルフ家具の板面に張られた化粧紙が破れたりするなどの問題があった。
【００１１】  また、前記マグネット用取付け座を壁面に取り付ける場合には、紙片を貼り付けているときは外観上損傷をもたらし、また機能的に支障をきたすことはないが、紙片を取り外した場合にはマグネット用取付け座が露出した状態となり、見た目が悪くなるなどの問題がある。さらに、マグネット用取付け座を剥ぎ取る場合には、壁面に張られた化粧紙が破れたりするなどの問題がある。
【００１２】  本考案は、以上の点に鑑みて創案されたものであって、リビングルームに置く家具として、木製表装材とスチール箔を含む化粧板を木製マルチシェルフ家具の重要箇所の部分的に取り付けることによって紙片を容易に貼り付けることができる木製マルチシェルフ家具で装飾性、又は機能性を増したものを提供することを目的とするものである。
【課題を解決するための手段】
【００１３】  木製板材で構成された引き出、或は開き戸付き棚、或は空間棚、及びスライドテーブルを持つ収納部と、又は開き戸付き棚部とからなる木製マルチシェルフ家具において、前記シェルフ家具の前板、側板、裏板、及びオープン箇所の内面板、及び引き出、開き戸の前板の全部、又は部分的に、表装材とスチール箔を含む化粧薄板を使用しているマグネット全面吸着可能な木製マルチシェルフ家具である。
【００１４】  前記表装材とスチール箔を含む化粧板を使用するマグネット吸着箇所としては、常時に使用する内面の隠れた場所ではなく、側面を含む全側面板、裏面板、オープン状態の内面板及び引き出、開き戸の前板の全部、又は５０％以上の面積部分の木製板材に、該マグネット吸着可能な化粧板材を張っている。
【００１５】表装材とスチール箔を含む化粧板は、マグネットを付着できる装飾性表装材であって、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板になっている。
【考案の効果】
【００１６】  本考案のマグネット全面吸着可能な木製マルチシェルフ家具によれば、表面、側面、内面、裏面、及び上部の開き戸面にマグネットが磁着する化粧紙によって覆うことによって外観上を損なうことなく、常時目に届く位置にマグネットによる写真、用具、紙片、並びに種々のマグネット用具を掛けたり、貼り付けたり、取り付けたりすることが容易に行うことができる。また内部に棚、物入れ箱を簡単に貼りつけることができ、機能的にも便利になる。さらに壁板がマグネット吸着可能な板の場合には、木製マルチシェルフ家具全体をマグネットシートを介して吸着が可能で、地震対策で有効である。
【００１７】  また、押しピンやテープなどによって写真、用具、予定表や投薬表などの計画表などの紙片を側面に貼り合わせることがないために、マグネット全面吸着可能な木製マルチシェルフ家具の外観の壁面を傷つけることがなく、使用し続けることが可能となる。外見が装飾面と必要な用具を簡単に取り付け、外したりすることができるようになり、木製マルチシェルフ家具の装飾性を増してきている。
【図面の簡単な説明】
【００１８】
【図１】マグネット全面吸着可能な木製マルチシェルフ家具を示す斜視図である。
【図２】マグネット全面吸着可能な木製マルチシェルフ家具の用具を取り付けた状態の平面図である。
【図３】マグネット全面吸着可能な木製マルチシェルフ家具で写真、計画書メモを使用した斜視図である。
【考案を実施するための形態】
【００１９】  以下、本考案の実施の形態で図面を参酌しながら説明し、本考案の理解に供する。図１は、マグネット全面吸着可能な木製マルチシェルフ家具を示す斜視図で、図２は、マグネット全面吸着可能な木製マルチシェルフ家具の用具を取り付けた状態図、図３は、マグネット全面吸着可能な木製マルチシェルフ家具で写真、計画書メモを使用した図である。
【実施例１】
【００２０】  図１に示すように木製板材で構成された引き出、或は開き戸付き棚、及びオープン棚を持つ収納部とからなる木製マルチシェルフ家具において、前記シェルフ家具の前板、側板、裏板、引き出における前板の全面に、表装材とスチール箔と木質板を含む化粧薄板を使用した。【００２１】  前記表装材とスチール箔と木質板を含む化粧板を使用するマグネット吸着箇所としては、常時に使用する内面の隠れた場所ではなく、側面を含む全側面板、裏板、オープン棚の内面板、及び引き出、開き戸の前板の全面に、該マグネット吸着可能な化粧板材を張った。【００２２】表装材とスチール箔を含む化粧板は、マグネットを付着できる装飾性表装材であって、表装材の表面には、０・２ｍｍの自然素材の木質の質感をもつ模様を施した樹脂フイルムを貼って、磁気吸着力を持つ表面体内に５０μｍの厚さのスチール箔を含んでいる化粧板にした。このマルチシェルフ家具のオープン棚の内面板、及び引き出、開き戸の前板の全面に写真を印刷したシートを貼ったり、装飾性と機能性を増した家具になった。
【実施例２】
【００２３】  木製板材で構成された開き戸付き棚、或はオープン棚とからなる木製マルチシェルフ家具において、前記シェルフ家具の前板、側板、裏板、及びオープン箇所の内面板の前板の５０％の部分に、表装材とスチール箔と木質材を含む化粧薄板を使用した。【００２４】  前記表装材とスチール箔を含む化粧板を使用するマグネット吸着箇所としては、常時に使用する内面の隠れた場所ではなく、側面を含む全側面板、裏板、オープン状態の内面板及び開き戸の前板の５０％の面積部分の木製板材に、該マグネット吸着可能な化粧板材を張った。【００２５】表装材とスチール箔を含む化粧板は、マグネットを付着できる装飾性表装材であって、表装材の表面には、０．０５ｍｍの生地色から濃厚色、又は自然素材の木質の質感をもつ模様を施した紙体を貼って、磁気吸着力を持つ表面体内に５０μｍの厚さのスチール箔を含んでいる化粧板になった。また裏面に５０％貼っており、室内のスチール箔を張った化粧板を貼りつけた建材にマグネットシートを挟み密着させて固定して、地震にも安定であり、またオープン棚にマグネット用具を取り付けて、機能性とデザイン性もました。
【実施例３】
【００２６】  実施例１と同様に木製板材で構成された開き戸付き棚とオープン棚とからなる木製マルチシェルフ家具において、前記シェルフ家具の前板、側板及びオープン箇所の内面板の部分的に、表装材とスチール箔と木質材を含む化粧薄板を使用した。【００２７】  前記表装材とスチール箔を含む化粧板を使用するマグネット吸着箇所としては、側面を含む全側面板、裏板、オープン状態の内面板及び開き戸の前板の８０％以上の面積部分の木製板材に、該マグネット吸着可能な化粧板材を張った。【００２８】表装材とスチール箔を含む化粧板は、マグネットを付着できる装飾性表装材であって、表装材の表面には、０・１ｍｍの生地色から濃厚色、又は自然素材の木質の質感をもつ模様を施した突板を貼って、磁気吸着力を持つ表面体内に５０μｍの厚さのスチール箔を含んでいる化粧板にした。マグネット用具を簡単に貼ることができて、装飾性が増した。
【符号の説明】
【００２９】１    シェルフ家具
２    前板
３    裏板
４    側板
５    引き出し部
６    開き戸部
７    オープン部
８    化粧紙
９    棚板
１０  マグネット吸着板
１１  天板
１２  下部収納部
１３  上部収納部
１４  キャスター
１５  後部収納部
１６  両扉部
１７  写真付きマグネットシート
１８  メモ帖  計画表（マグネットシート）
【図１】
0003212336.tif 000003
【図２】
0003212336.tif 000004
【図３】
0003212336.tif 000005